(57)【要約】【課題】本発明は、ＰＣ切替の際の煩雑さを無くし、ケーブルの長さなどによる制約も無くすことができ、複数のＰＣにより共有することができる表示装置、および、その表示装置を使った会議システムを提供することを目的とする。【解決手段】表示対象端末制御アプリケーション１６は、ワイヤレスＵＳＢを介して表示要求の制御情報を受信すると、他の端末からの画像情報を表示中でなければ、表示要求を送信してきた端末の画像情報を表示するようにする。他の端末からの画像情報を表示中であれば、現在表示中の端末に、表示切替を行っていいか問い合わせる制御情報を送信し、表示切替を許可することを示す制御情報を受信すれば、新たに表示要求を送信してきた端末の画像情報に表示を切り替え、表示切替を許可しないことを示す制御情報を受信すれば、新たに表示要求を送信してきた端末に表示要求が許可されなかったことを示す制御情報を送信する。【選択図】図１
2008046364.tif 000002
【特許請求の範囲】
【請求項１】
端末との間の無線通信を制御する無線通信制御部と、該無線通信制御部を介して前記端末から受信した画像情報を表示する画像表示部と、複数の前記端末からの画像情報の表示要求を受け付け、表示対象とする端末を選択する表示対象端末制御部とを備えることを特徴とする表示装置。
【請求項２】
前記表示対象端末制御部は、前記表示要求を受け付けたとき、他の端末からの画像情報を表示中であれば、該表示中の端末に画像情報の表示を他の端末に切り替えて良いかを問い合わせ、表示中の端末に許可されたときのみ表示を切り替えることを特徴とする請求項１に記載の表示装置。
【請求項３】
前記無線通信としてワイヤレスＵＳＢを使用することを特徴とする請求項１または２に記載の表示装置。
【請求項４】
コンピュータに、予め設定された無線通信により接続された表示装置に画像情報の表示を要求する表示要求を行うかを問い合わせるメッセージを出力するステップ、該メッセージへの回答が表示要求を行う旨のものである場合、前記無線通信により前記表示装置に表示要求を送信するステップ、を実行させるためのプログラム。
【請求項５】
前記コンピュータに、前記表示装置から画像情報の表示を他の端末に切り替えて良いかの問い合わせを受信したとき、表示の切替を許可するかを問い合わせるメッセージを出力するステップ、該メッセージへの回答を前記表示装置に送信するステップ、をさらに実行させるための請求項４に記載のプログラム。
【請求項６】
前記無線通信としてワイヤレスＵＳＢを使用することを特徴とする請求項４または５に記載のプログラム。
【請求項７】
複数の端末と、該複数の端末の画像情報を切り替えて表示する表示装置とを備え、
前記複数の端末と前記表示装置との間は無線通信により接続されることを特徴とする会議システム。
【請求項８】
前記無線通信としてワイヤレスＵＳＢを使用することを特徴とする請求項７に記載の会議システム。
【発明の詳細な説明】
【技術分野】
【０００１】
本発明は、表示装置に関し、特に、複数の端末の画像情報を切り替えて表示する表示装置、および、その表示装置を使った会議システムに関する。
【背景技術】
【０００２】
従来、例えば、複数の参加者が、会議室などの場所において、大型表示装置とプレゼンテーション用のアプリケーションソフトウェアを使って、各自の作成した資料を用いてプレゼンテーションなどの発表を行う場合、事前に大型表示装置とＶＧＡ（Video Graphic Array）などのケーブルを介して接続された一台のパーソナルコンピュータ（ＰＣ）に各自の資料を保存しておき、このＰＣを順番に使って発表を行っていた。
【０００３】
また、最近では、各自がノートＰＣを持ち込み、上述のケーブルを介して大型表示装置と接続し、このノートＰＣを使って発表を行い、発表者が交替するごとに各自のノートＰＣにケーブルを付け替えるという形態も一般的になってきている。
【０００４】
また、ＡＶ（Audio Visual）コントロールシステムにおいて、テレビジョン受像機と複数のＡＶ機器を無線ＬＡＮ（Local Area Network）で接続して、配線の煩わしさを解消するようにしたものもある（例えば、特許文献１参照）。
【特許文献１】特許第３６３８９４２号公報
【発明の開示】
【発明が解決しようとする課題】
【０００５】
上述の大型表示装置を使った発表の形態の中で、事前に一台のＰＣに各自の資料を保存しておく形態では、例えば、時間の都合などにより、事前にＰＣに資料を保存することができず、途中からプレゼンテーションに参加する者がいた場合、発表の合間の空き時間などを利用して、ＰＣに資料を保存する作業を行わなければならず、その間次の発表者が発表を始めることができなくなってしまい、全体の進行の妨げになる可能性があった。
【０００６】
また、各自がノートＰＣを交替で大型表示装置に接続する形態では、ケーブルを付け替える作業が発生してしまう。上述の説明では、プレゼンテーションでの例を示したが、会議のように意見交換を行う場合は、ノートＰＣの切り替えが頻繁に行われ、その都度ケーブルを付け替える作業が必要となり、煩雑さを招くことになる。
【０００７】
なお、ＫＶＭ（Keyboard Video Mouse）スイッチを用いて一台の大型表示装置に対して複数のノートＰＣを接続できるようにしておけば、ＫＶＭスイッチを切り替えることにより、ケーブルを付け替えることなく、大型表示装置とノートＰＣとの接続を切り替えることが可能となる。
【０００８】
しかし、この場合も、ケーブルの長さの制約により、発表者の配置が制約を受けるという課題があり、また、ＫＶＭスイッチに接続できるノートＰＣの数にも制限がある。
【０００９】
そこで、本発明は、ＰＣ切替の際の煩雑さを無くし、ケーブルの長さなどによる制約も無くすことができ、複数のＰＣにより共有することができる表示装置、および、その表示装置を使った会議システムを提供することを目的とする。
【課題を解決するための手段】
【００１０】
上記課題を解決する第１の発明は、端末との間の無線通信を制御する無線通信制御部と、該無線通信制御部を介して前記端末から受信した画像情報を表示する画像表示部と、複数の前記端末からの画像情報の表示要求を受け付け、表示対象とする端末を選択する表示対象端末制御部とを備えることを特徴とするものである。
【００１１】
この発明では、端末と表示装置との間が無線通信で接続され、複数の端末の画像情報が表示装置で切り替えられて表示される。
【００１２】
上記課題を解決する第２の発明は、上記第１の発明の構成に加え、前記表示対象端末制御部は、前記表示要求を受け付けたとき、他の端末からの画像情報を表示中であれば、該表示中の端末に画像情報の表示を他の端末に切り替えて良いかを問い合わせ、表示中の端末に許可されたときのみ表示を切り替えることを特徴とするものである。
【００１３】
この発明では、表示装置の表示の切替が、現在表示中の端末のユーザによって決定される。
【００１４】
上記課題を解決する第３の発明は、上記第１または第２の発明の構成に加え、前記無線通信としてワイヤレスＵＳＢを使用することを特徴とするものである。
【００１５】
この発明では、無線通信としてワイヤレスＵＳＢが使用される。
【００１６】
上記課題を解決する第４の発明は、コンピュータに、予め設定された無線通信により接続された表示装置に画像情報の表示を要求する表示要求を行うかを問い合わせるメッセージを出力するステップ、該メッセージへの回答が表示要求を行う旨のものである場合、前記無線通信により前記表示装置に表示要求を送信するステップ、を実行させるものである。
【００１７】
この発明では、メッセージに対し回答するだけで、表示装置への表示が要求される。
【００１８】
上記課題を解決する第５の発明は、上記第４の発明の構成に加え、前記コンピュータに、前記表示装置から画像情報の表示を他の端末に切り替えて良いかの問い合わせを受信したとき、表示の切替を許可するかを問い合わせるメッセージを出力するステップ、該メッセージへの回答を前記表示装置に送信するステップ、をさらに実行させるものである。
【００１９】
この発明では、メッセージに対し回答するだけで、表示装置の表示切替の許可／不許可が送信される。
【００２０】
上記課題を解決する第６の発明は、上記第４または第５の発明の構成に加え、前記無線通信としてワイヤレスＵＳＢを使用することを特徴とするものである。
【００２１】
この発明では、無線通信としてワイヤレスＵＳＢが使用される。
【００２２】
上記課題を解決する第７の発明は、複数の端末と、該複数の端末の画像情報を切り替えて表示する表示装置とを備え、前記複数の端末と前記表示装置との間は無線通信により接続されることを特徴とするものである。
【００２３】
この発明では、端末と表示装置との間が無線通信で接続され、複数の端末の画像情報が表示装置で切り替えられて表示される。
【００２４】
上記課題を解決する第８の発明は、上記第７の発明の構成に加え、前記無線通信としてワイヤレスＵＳＢを使用することを特徴とするものである。
【００２５】
この発明では、無線通信としてワイヤレスＵＳＢが使用される。
【発明の効果】
【００２６】
本発明によれば、表示装置と端末との間を無線通信で接続しているので、表示端末の切替の際の煩雑さを無くし、ケーブルの長さなどによる制約も無くすことができる。
【００２７】
また、表示を切り替えるかどうかの決定権を、表示対象となっている端末側に持たせているので、表示の切替を円滑に行うことができる。
【００２８】
また、表示要求、表示切替の許可、不許可などの操作を、表示されるメッセージボックスの中から選択するようにしているので、操作を簡単にすることができる。
【００２９】
また、無線通信としてワイヤレスＵＳＢを使用すれば、高速な通信が可能となり、端末と表示装置との接続も容易となる。
【発明を実施するための最良の形態】
【００３０】
以下、本発明を図面を参照して説明する。
【００３１】
図１は本発明の一実施形態の表示装置を示す図である。本実施形態の表示装置は、ノートＰＣなどの端末との接続にワイヤレスＵＳＢ（Universal Serial Bus）の技術を用いる。
【００３２】
ワイヤレスＵＳＢは、ＵＷＢ（Ultra Wide Band）を無線方式とするＵＳＢのインタフェースである。
【００３３】
ＵＷＢは、3.1から10.6[GHz]の7.5[GHz]という広い周波数帯域を使用している。
【００３４】
ＵＷＢの物理層には、ＭＢ−ＯＦＤＭ（Multi Band-Orthogonal Frequency Division Multiplexing）、ＤＳ−ＵＷＢ（Direct Spread-UWB）の二つの変調方式がある。
【００３５】
ＭＢ−ＯＦＤＭは、3.1から10.6[GHz]の帯域を、１４のバンドに分割し、各バンドで、まずＱＰＳＫ（Quadrature Phase Shift Keying）により、ディジタル信号を電波に乗せるための一次変調を行い、他の電波からの干渉に強い通信を実現するための二次変調を、ＯＦＤＭ変調によって行う。
【００３６】
ＤＳ−ＵＷＢは、3.1から4.9[GHz]のローバンドと、6.2から9.7[GHz]のハイバンドの二つのバンド（デュアルバンド）を使用して、まずＱＰＳＫまたはＢＰＳＫ（Binary Phase Shift Keying）によって一次変調を行った後、二次変調にＣＤＭＡ（Code Division Multiple Access）を使用してデータを運ぶ。このとき、直接周波数拡散方式を使用する。IEEE802.15aがＵＷＢの物理レイヤーの標準化を担当している。
【００３７】
これらの変調方式により変調を行うことで、ＵＷＢでは1[MHz]当たりの送信電力レベルを抑制している。
【００３８】
具体的には、ＦＣＣ（米国連邦通信委員会：Federal Communications Commission）では、ＵＷＢ通信における1[MHz]当たりの送信電力レベルの規制値を表すＥＩＲＰ（Equivalent Isotropic Radiated Power）を-41.25[dBm]以下と定めている。
【００３９】
これは、総電力に換算すると、0.5[mW]程度であり、ＰＨＳ（Personal Handyphone System）の約２０分の１の値である。
【００４０】
ワイヤレスＵＳＢでは、ＵＷＢを無線インフラとして使用することにより、半径3[m]の範囲で最大480[Mbps]、半径10[m]の範囲で最大110[Mbps]の高速通信を実現できる仕様となっている。
【００４１】
ワイヤレスＵＳＢの接続形態は、中心に位置するＰＣ（ホスト）に対して、プリンタ、ハードディスク、デジタルカメラなどの機器（デバイス）を接続するハブ＆スポーク型であり、上述の最大480[Mbps]での高速な通信が可能であるという特徴の他に、ポートの拡張が容易であり、最大１２７台のデバイスとの接続が可能であることや、バスから電流をとれるため、小電力機器であれば電源の搭載が不要となる、などの特徴を持っている。なお、本実施形態においては、端末側をホストとし、表示装置をデバイスとしてワイヤレスＵＳＢの規格を適用している。
【００４２】
以下、端末としてノートＰＣを用いる場合について説明する。
【００４３】
図１において、本実施形態の表示装置１は、ノートＰＣから送られる画像情報を表示する画像表示部１１と、ワイヤレスＵＳＢの規格に基づいたプロトコル制御や送受信する信号の周波数変換などを行うワイヤレスＵＳＢコントローラおよびＰＨＹ（PHYsical layer）チップ１２と、送出信号を電波として送出したり電波を受信したりするアンテナ１３と、この表示装置上で動作するベースとなるソフトウェアであるオペレーションシステム１４と、ワイヤレスＵＳＢコントローラおよびＰＨＹチップ１２を制御するソフトウェアでありオペレーションシステム１４上で稼働するワイヤレスＵＳＢデバイスドライバ１５と、ノートＰＣとの間で制御情報の送受信を行い、制御情報に基づいて表示対象となるノートＰＣの切替制御を行う表示対象端末制御アプリケーション１６とを備えている。
【００４４】
この表示装置１と接続して画像情報を表示させたいノートＰＣは、表示対象端末制御アプリケーション１６との間で制御情報を送受信するアプリケーションソフトウェアをインストールしておく必要がある。
【００４５】
ノートＰＣから表示装置１に対して表示要求を送信する場合、または、後述する表示装置上で画像情報の表示対象となっているノートＰＣが、他のノートＰＣへの表示切替を許可する場合などの操作は、このアプリケーションソフトウェアを用いて行うことになる。
【００４６】
ノートＰＣを表示装置１と初めて接続させる場合、まず、ノートＰＣの上述のアプリケーションソフトウェア上で、接続させたい表示装置１に固有の数桁の数字を入力し、接続させたい表示装置１を特定させる。
【００４７】
その後、ワイヤレスＵＳＢのRev.0.9の規格に”Numeric Code”として定められている方式に基づいて、ノートＰＣと表示装置１との認証を行う。
【００４８】
図２は、Numeric Code Modelの手順を示す図であり、この手順で認証を行う。
【００４９】
まず、ユーザーがホスト（ノートＰＣ）とデバイス（表示装置１）の両方の「接続開始」ボタンを押す（１）。すると、ホストとデバイス間で認証のための情報を送受信し、ホストとデバイスはそれぞれ番号（Numeric Code）を生成して、表示する（２）。
【００５０】
ユーザーは、表示されたそれぞれの番号を比較し（３）、両者の番号が一致していればホストとデバイスの両方の「許可」ボタンを押す（４）。
【００５１】
「許可」ボタンが押されると、ホストはデバイスとの接続を開始する（５）。
【００５２】
このようにして、ノートＰＣに対して表示装置１が初期登録されることとなる。
【００５３】
以下、表示装置１と、表示を要求するノートＰＣおよび表示中のノートＰＣとの間における制御情報の受け渡しについて説明する。
【００５４】
まず、表示装置１への画像表示を要求するノートＰＣからは、上述のアプリケーションソフトウェアを用いて、表示装置１に対して表示要求することを示す制御情報を送信する。
【００５５】
表示装置１は、ノートＰＣからの表示要求を受信すると、その時点で別のノートＰＣの画像情報を表示中でなければ、表示要求を受け入れて、そのノートＰＣの画像情報を表示する。
【００５６】
一方、ノートＰＣからの表示要求を受信した時点で別のノートＰＣの画像情報を表示中であれば、表示中のノートＰＣに対して画像情報の表示を中止して別のノートＰＣの画像情報の表示に切り替えてよいかを問い合わせる制御情報を送信する。
【００５７】
表示中のノートＰＣは、表示装置１からの問い合わせの制御情報を受信すると、この制御情報に対して、「許可する」、「許可しない」のいずれかの制御情報を表示装置１に返信する。
【００５８】
表示装置１は、表示中のノートＰＣから受信した制御情報が、「許可する」ことを示す場合は、表示中のノートＰＣの画像情報の表示を中止し、新たに表示要求を送信してきたノートＰＣの画像情報の表示に切り替える。
【００５９】
表示中のノートＰＣから受信した制御情報が、「許可しない」ことを示す場合は、新たに表示要求を送信してきたノートＰＣに対し、「表示要求が拒否されたこと」ことを示す制御情報を送信する。
【００６０】
以下、具体例を示す。図３は、表示装置１と二台のノートＰＣ２ａ、２ｂから構成される会議システムを示す図である。
【００６１】
このようなシステムにおいて、表示装置１が、いずれのノートＰＣ２ａ、２ｂの画像情報も表示していない状態で、まず、第１のノートＰＣ２ａが表示装置１での画像情報の表示を要求し、その後、表示装置１が第１のノートＰＣ２ａの画像情報を表示しているときに、第２のノートＰＣ２ｂが表示装置１での画像情報の表示を要求する、という一連のフローにおいて、表示装置１とノートＰＣ２ａ、２ｂとの間でどのように制御情報が送受信されるかを説明する。
【００６２】
図４は、この処理を説明するためのフローチャートである。
【００６３】
図４に示すように、まず、第１のノートＰＣ２ａにおいて上述のアプリケーションソフトウェアが起動されると（Ｓ１１）、このアプリケーションソフトウェアは、図５に示すような、表示要求を行うかどうかを問い合わせるメッセージボックスを第１のノートＰＣ２ａのディスプレイに表示する（Ｓ１２）。
【００６４】
このメッセージボックスの「表示要求する」がマウスクリックなどにより選択されると、このアプリケーションソフトウェアは、表示要求することを示す制御情報を表示装置１に送信する（Ｓ１３）。
【００６５】
表示装置１の表示対象端末制御アプリケーション１６は、第１のノートＰＣ２ａからの表示要求を示す制御情報を受信すると、この時点では表示中のノートＰＣが無いので、第１のノートＰＣ２ａからの表示要求を受け入れ、以降第１のノートＰＣ２ａからの画像情報を表示する（Ｓ１４）。
【００６６】
この表示中に、第２のノートＰＣ２ｂにおいて上述のアプリケーションソフトウェアが起動されると（Ｓ１５）、上述の第１のノートＰＣ２ａのときと同様に、このアプリケーションソフトウェアは、メッセージボックスを表示し（Ｓ１６）、「表示要求する」が選択されると、表示要求することを示す制御情報を表示装置１に送信する（Ｓ１７）。
【００６７】
表示装置１の表示対象端末制御アプリケーション１６は、第２のノートＰＣ２ｂからの表示要求を示す制御情報を受信すると、第１のノートＰＣ２ａからの画像情報を表示中であるので、第１のノートＰＣ２ａに対して、「画像情報の表示を中止して、別のノートＰＣの画像情報を表示するように切り替えてよいかどうか」を尋ねる制御情報を送信する（Ｓ１８）。
【００６８】
第１のノートＰＣ２ａのアプリケーションソフトウェアは、この制御情報を受信すると、図６に示すような、表示装置１の表示の切替を許可するかどうかを問い合わせるメッセージボックスを表示し（Ｓ１９）、どちらが選択されたか判定する（Ｓ２０）。
【００６９】
このメッセージボックスの「許可する」がマウスクリックなどにより選択されると、第１のノートＰＣ２ａのアプリケーションソフトウェアは、切替を許可することを示す制御情報を表示装置１に送信する（Ｓ２１）。
【００７０】
表示装置１の表示対象端末制御アプリケーション１６は、切替を許可することを示す制御情報を受信すると、第１のノートＰＣ２ａからの画像情報の表示を中止し、表示の対象となるノートＰＣを第１のノートＰＣ２ａから第２のノートＰＣ２ｂに切り替え、以降第２のノートＰＣ２ｂからの画像情報を表示する（Ｓ２２）。
【００７１】
一方、図６のメッセージボックスに対し、「許可しない」が選択されると、第１のノートＰＣ２ａのアプリケーションソフトウェアは、切替を許可しないことを示す制御情報を表示装置１に送信する（Ｓ２３）。
【００７２】
表示装置１の表示対象端末制御アプリケーション１６は、切替を許可しないことを示す制御情報を受信すると、第２のノートＰＣ２ｂに対し、「表示要求が許可されなかった」ことを示す制御情報を送信し（Ｓ２４）、引き続き第１のノートＰＣ２ａからの画像情報を表示する（Ｓ２５）。
【００７３】
第２のノートＰＣ２ｂのアプリケーションソフトウェアは、表示装置１から「表示要求が許可されなかった」ことを示す制御情報を受信すると、図７に示すような、表示中の端末に表示装置１の切替が許可されなかったことを示すメッセージボックスを表示する（Ｓ２６）。
【００７４】
このように本実施形態においては、表示装置１が表示の対象となるノートＰＣの排他制御を行っているので、一台の表示装置を複数のノートＰＣで共有できる。
【００７５】
また、表示装置１とノートＰＣとの間をワイヤレスＵＳＢで接続しているので、ノートＰＣ切替の際の煩雑さを無くし、ケーブルの長さなどによる制約も無くすことができる。
【００７６】
また、あるノートＰＣの画像情報を表示中の表示装置１に対し、他のノートＰＣからの表示要求があった場合、表示を切り替えるかどうかの決定権は、表示対象となっているノートＰＣ側に持たせているので、表示の切替を円滑に行うことができる。
【００７７】
さらに、ノートＰＣで動作させるアプリケーションソフトウェアでは、表示要求、切替の許可、不許可などの操作は、表示されるメッセージボックスの中から選択すればいいので、操作を簡単にすることができる。
【図面の簡単な説明】
【００７８】
【図１】本発明の一実施形態の表示装置を示す図であり、そのブロック図である。
【図２】ワイヤレスＵＳＢのNumeric Code Modelの概略フロー図である。
【図３】本発明の一実施形態の表示装置を使った会議システムを示す図であり、その構成図である。
【図４】その表示切替処理を説明するためのフローチャートである。
【図５】その表示要求を行うかどうかを問い合わせるメッセージボックスを示す図である。
【図６】その表示切替を許可するかどうかを問い合わせるメッセージボックスを示す図である。
【図７】その表示切替が許可されなかったことを示すメッセージボックスを示す図である。
【符号の説明】
【００７９】
１  表示装置
１１  画像表示部
１２  ワイヤレスＵＳＢコントローラおよびＰＨＹチップ
１３  アンテナ
１４  オペレーションシステム
１５  ワイヤレスＵＳＢデバイスドライバ
１６  表示対象端末制御アプリケーション
２ａ  第１のノートＰＣ
２ｂ  第２のノートＰＣ
【図１】
2008046364.tif 000003
【図２】
2008046364.tif 000004
【図４】
2008046364.tif 000005
【図５】
2008046364.tif 000006
【図６】
2008046364.tif 000007
【図７】
2008046364.tif 000008
【図３】
2008046364.tif 000009